(57)【要約】      （修正有）【課題】芝刈り機と軸反転装置とを容易に連結出来ると共に、ラッピング作業の過程でその連結状態を迅速かつ容易に解除できるアダプタを提供する。【解決手段】芝刈り機のリールカッター軸Ｓ２の端部側に設けられた連結部Ｓ１と、前記リールカッター軸を逆回転させる軸反転装置の出力軸Ｊ１と、を連結するアダプタＡであって、筒部１０と、前記連結部と連結可能な可動軸２０と、を備え、前記筒部の一端側に、前記可動軸が筒部に対して進退可能に取り付けられており、前記筒部の他端側には、前記出力軸と連結可能な固定部が設けられている。【選択図】図４
0003179849.tif 000002
【実用新案登録請求の範囲】
【請求項１】
芝刈り機のリールカッター軸の端部側に設けられた連結部と、
前記リールカッター軸を逆回転させる軸反転装置の出力軸と、を連結するアダプタであって、
筒部と、
前記連結部と連結可能な可動軸と、を備え、
前記筒部の一端側に、前記可動軸が筒部に対して進退可能に取り付けられており、
前記筒部の他端側には、前記出力軸と連結可能な固定部が設けられているアダプタ。
【請求項２】
芝刈り機のリールカッター軸の端部側に設けられた連結部と、
前記リールカッター軸を逆回転させる軸反転装置の出力軸と、を連結するアダプタであって、
筒部と、
前記連結部と連結可能な可動軸と、
前記出力軸と連結可能な出力軸挿入部と、を備え、
前記筒部の一端側には、前記可動軸の先端部が露出した状態で固定され、
前記筒部の他端側には、前記出力軸挿入部が筒部に対して進退可能に取り付けられていると共に、前記出力軸と連結可能な固定部が設けられているアダプタ。
【請求項３】
前記可動軸がスライド機構によって、前記筒状部に対して進退可能になっていることを特徴とする請求項１記載のアダプタ。
【請求項４】
前記出力軸挿入部がスライド機構によって、前記筒状部に対して進退可能になっていることを特徴とする請求項２記載のアダプタ。
【考案の詳細な説明】
【技術分野】
【０００１】
本考案は、芝刈り機と軸反転装置とを連結するアダプタに関するものである。
【背景技術】
【０００２】
従来より、リールカッター式芝刈り機のリールカッターのラッピング作業を行う場合、ラッピング用ハンドルを用いて、リールカッター軸の回転方向を手動で逆回転させながら刷毛などにより、リールカッターに研磨剤を塗布することによって、リール刃の刃先を研磨していた（例えば、非特許文献１）。
【０００３】
しかし、ラッピングハンドルを用い、手動でリールカッターを反転させるラッピング作業は多大な労力を要するうえに十分な研磨ができなかった。
【０００４】
そこで、芝刈り機のリールカッター軸を駆動により反転させるため、リールカッター軸の一端部分に、軸反転装置などの駆動機と連結する連結部を有する歩行式芝刈り機が知られている（例えば、特許文献１）。
【０００５】
このような芝刈り機は、リールカッター軸の連結部と軸反転装置とをアダプタにより連結することによって、リールカッター軸を駆動により反転させながらラッピング作業を行うものである。
【先行技術文献】
【特許文献】
【０００６】
【特許文献１】特開２００４−１２８６２８号公報
【非特許文献】
【０００７】
【非特許文献１】株式会社共栄社ホームページ  バロネスダイレクト  https://www.baroness-direct.com/e-commex/cgi-bin/ex_disp_item_detail.cgi?id=1-1052000
【考案の概要】
【考案が解決しようとする課題】
【０００８】
しかしながら、上述した芝刈り機と軸反転装置とをアダプタにより連結するといっても、リールカッターの先端側に設けられたネジ穴に、六角ボルトを螺合すると共に、軸反転装置の出力軸側にソケットを設け、そのソケットに六角ボルトの頭部を嵌入させ、六角ボルト及びソケットを介して軸反転装置の駆動をリールカッター軸に伝達することでリールカッターを反転させるものであった。
【０００９】
ラッピング作業は、研磨作業を行いながら、何度か研磨状態を確認する必要がある。研磨状態を確認するには、リールカッターを正回転にして新聞紙等を用いて切れ味を確認する。つまり、ラッピング作業中は、リールカッターを逆回転にして研磨する作業、リールカッターを正回転にして研磨状態を確認する作業を交互に何度か繰り返す必要がある。
【００１０】
よって、その都度、芝刈り機又は軸反転装置のいずれかを動かしてアダプタとの連結状態を解除する必要があり、芝刈り機も軸反転装置もいずれも相当な重量を有するため、非常に重労働で面倒な作業であった。
【００１１】
そこで、本考案はこのような問題点を解決するものであって、芝刈り機と軸反転装置とを容易に連結出来ると共に、ラッピング作業の過程でその連結状態を迅速かつ容易に解除できるアダプタを提供することを課題とする。
【課題を解決するための手段】
【００１２】
上述した課題を解決すべく、本考案に係るアダプタは下記の手段を講じている。
【００１３】
本考案のアダプタは、芝刈り機のリールカッター軸の端部側に設けられた連結部と、前記リールカッター軸を逆回転させる軸反転装置の出力軸と、を連結するアダプタであって、筒部と、前記連結部と連結可能な可動軸と、を備え、前記筒部の一端側に、前記可動軸が筒部に対して進退可能に取り付けられており、前記筒部の他端側には、前記出力軸と連結可能な固定部が設けられている。
【００１４】
また、前記可動軸がスライド機構によって、前記筒状部に対して進退可能にすることができる。
【００１５】
本考案のアダプタは、芝刈り機のリールカッター軸の端部側に設けられた連結部と、前記リールカッター軸を逆回転させる軸反転装置の出力軸と、を連結するアダプタであって、筒部と、前記連結部と連結可能な可動軸と、前記出力軸と連結可能な出力軸挿入部と、を備え、前記筒部の一端側には、前記可動軸の先端部が露出した状態で固定され、前記筒部の他端側には、前記出力軸挿入部が筒部に対して進退可能に取り付けられていると共に、前記出力軸と連結可能な固定部が設けられている。
【００１６】
また、前記出力軸挿入部がスライド機構によって、前記筒状部に対して進退可能にすることができる。
【考案の効果】
【００１７】
このように、本考案に係るアダプタによれば、芝刈り機と軸反転装置とを容易に連結出来ると共に、ラッピング作業の過程でその連結状態を迅速かつ容易に解除することが可能となる。
【図面の簡単な説明】
【００１８】
【図１】本発明の第１実施形態に係るアダプタの斜視図である。
【図２】本発明の第１実施形態に係るアダプタの中央断面図である。
【図３】本発明の第１実施形態に係るアダプタを使用して芝刈り機と軸反転装置を連結する状態を示す説明図である。
【図４】本発明の第１実施形態に係るアダプタを使用した芝刈り機と軸反転装置の連結状態を解除する状態を示す説明図である。
【図５】本発明の第２実施形態に係るアダプタの斜視図である。
【図６】本発明の第２実施形態に係るアダプタの中央断面図である。
【考案を実施するための形態】
【００１９】
以下、本考案に係る実施形態を図面に従って説明するが、本考案はこの実施形態に限定されるものではない。
【００２０】
本考案に係るアダプタＡは、芝刈り機Ｓのリールカッター軸Ｓ２の端部側に設けられた連結部Ｓ１と、軸反転装置Ｊの出力軸Ｊ１とを連結するアダプタＡであって、このアダプタＡにより、軸反転装置Ｊの駆動を芝刈り機Ｓに伝達し、リールカッターを逆回転させるものである。
【００２１】
図１及び図２は、本考案の第１実施形態に係るアダプタＡの構成を示す図である（説明の便宜上、軸反転装置Ｊの出力軸Ｊ１の一部が固定された状態を示している。なお、軸反転装置Ｊ自体は省略している。）。このアダプタＡは、可動軸２０と筒部１０とから構成される。そして可動軸２０が筒部１０に対して進退可能に取り付けられている。
【００２２】
可動軸２０は、リールカッター軸Ｓ２の端部側に設けられる連結部Ｓ１に接続されるものであって、筒部１０を介して軸反転装置Ｊの駆動をリールカッター軸Ｓ２に伝達するものである。例えば、可動軸２０は、図１及び図２に示すように、円柱形状の筒状体２１と、筒状体２１の軸方向の同一線上に延出された略正四角柱形状の先端部２２により形成される。筒状体２１の先端部２２が延出される側とは反対側の端部近傍には、筒部１０と可動軸２０とを固定するためのネジ孔４４が設けられている。
【００２３】
先端部２２の形状は、芝刈り機Ｓのリールカッター軸Ｓ２の端部側の連結部Ｓ１の形状等に合わせて適宜変更することができる。また、連結部Ｓ１にソケットなどの連結部材を連結させて連結することもできる。さらに、連結部Ｓ１に首振り機能を有するソケットを用いれば、連結作業を容易に行うことができる。
【００２４】
筒部１０は、図１及び図２に示すように、一端側から可動軸２０を挿入すると共に、その可動軸２０を筒部１０の軸方向に対して進退可能に取り付け、かつ、他端側から軸反転装置Ｊの出力軸Ｊ１を挿入して固定されるものである。
【００２５】
筒部１０は、挿入孔を有する中空筒形状である。筒部１０の内径は、可動軸２０の筒状体２１の外径と略同一となるように形成されている。筒部１０には、可動軸２０を筒部１０の軸方向に対して進退可能とするスライド機構が設けられている。スライド機構は、可動軸２０が筒部１０の軸方向に対して進退可能に可動できればよい趣旨である。
【００２６】
例えば、筒部１０の一端側（可動軸２０を挿入する側）寄りの周壁に、軸方向に延びる長孔４１を形成し、スライド操作部材４２であるノブ付きネジを筒部１０の長孔４１を介し可動軸２０に設けられたネジ孔４４に螺合することで固定する構成とする。この構成よれば、可動軸２０は、ノブ付きネジを緩めることによって、長孔４１に案内され軸方向に移動可能となり、ノブ付きネジを締めることで適宜の位置で止めることが可能となる。
【００２７】
また、スライド機構としては、可動軸２０の筒状部の外周壁の長手方向に、平行に複数のキー溝を設け、可動軸２０自体をいわゆるスプライン軸とし、筒部１０の内周にそのキー溝に嵌り合う溝を設けることで、可動軸２０が筒部１０に対して軸方向に可動可能とすることもできる。
【００２８】
また、筒部１０の他端側（出力軸Ｊ１を挿入する側）の端部近傍には、出力軸Ｊ１を固定する固定部４３が設けられている。固定部４３は、出力軸Ｊ１が固定できればよい趣旨である。例えば、筒部１０にネジ孔４４を設け出力軸Ｊ１をボルト４５で螺着して固定される。
【００２９】
出力軸Ｊ１にキー溝Ｊ２を設け、そのキー溝Ｊ２に対応する位置にネジ孔４４を設け、ボルト４５の先端をキー溝Ｊ２に当接させて固定すれば、周り止めにもなる。
【００３０】
また、固定部４３を複数個設けることもできる。例えば、筒部１０の適宜の位置にネジ孔４４を設け、ボルト等で出力軸Ｊ１を固定すれば強固に固定できると共に、周り止めにもなる。
【００３１】
上述したアダプタＡによれば、可動軸２０がスライド機構により筒部１０に対して進退可能に構成されているため、芝刈り機Ｓと軸反転装置Ｊとを連結する際、図３に示すように、まず軸反転装置Ｊの出力軸Ｊ１をアダプタＡに固定し、次に、芝刈り機Ｓの連結部Ｓ１とアダプタＡの可動軸２０側とをある程度近づけたところで、スライド機構により可動軸２０をスライドさせ連結部Ｓ１に容易に連結することができる。
【００３２】
また、芝刈り機Ｓの連結部Ｓ１と軸反転装置Ｊの出力軸Ｊ１とをアダプタＡにより連結し、リールカッター軸Ｓ２を逆回転させて研磨作業を行っているときに、研磨状態を確認するために、リールカッターを正回転にする際、図４に示すようにスライド機構を用いて、可動軸２０を連結部Ｓ１から解除するだけで、迅速かつ容易にリールカッター軸Ｓ２を正回転して研磨状態を確認することができる。
【００３３】
本考案の第２実施形態のアダプタＡは、基本的な構成は第１実施形態と同様であるが、以下の点で異なる。
【００３４】
第２実施形態のアダプタＡは、図５及び図６に示すように、可動軸２０と、筒部１０と、出力軸挿入部３０とから構成される。筒部１０の一端側から可動軸２０を挿入して固定され、他端側から出力軸挿入部３０が挿入されると共に、その出力軸挿入部３０が筒部１０に対して進退可能に取り付けられている。
【００３５】
可動軸２０は、リールカッター軸Ｓ２の端部側に設けられる連結部Ｓ１に連結されるものであって、筒部１０及び出力軸挿入部３０を介して軸反転装置Ｊの駆動をリールカッター軸Ｓ２に伝達するものである。例えば、可動軸２０は図５及び図６に示すように、略正四角柱形状の軸体である。可動軸２０の一方の端部側近傍には、筒部１０と可動軸２０とを固定するためのネジ孔４４が設けられている。
【００３６】
可動軸２０は、先端部２２が連結部Ｓ１に連結可能な形状であれば良く、上記形状に限るものではない。
【００３７】
出力軸挿入部３０は、図５及び図６に示すように、軸反転装置Ｊの出力軸Ｊ１を固定すると共に、筒部１０に対して進退可能に取り付けられているものである。
【００３８】
出力軸挿入部３０は、挿入孔を有する中空筒形状である。出力軸挿入部３０の一端側（出力軸Ｊ１を挿入する側）の端部近傍には、出力軸Ｊ１を固定する固定部４３が設けられている。固定部４３は、出力軸Ｊ１が固定されればよい趣旨である。例えば、出力軸挿入部３０にネジ孔４４を設け出力軸Ｊ１をボルト４５で螺着して固定される。
【００３９】
出力軸Ｊ１にキー溝Ｊ２を設け、そのキー溝Ｊ２に対応する位置にネジ孔４４を設け、ボルト４５の先端がキー溝Ｊ２に当接させて固定すれば、周り止めにもなる。また、第１実施形態同様複数の固定部４３を設けることもできる。
【００４０】
そして、出力軸挿入部３０の略中央部から他端側（出力軸Ｊ１を挿入する側とは反対側）の適宜の位置に出力軸挿入部３０と筒部１０とを固定するためのネジ孔４４が設けられている。
【００４１】
筒部１０は、図５及び図６に示すように、一端側から可動軸２０を挿入して固定し、他端側から出力軸挿入部３０を挿入すると共に、その出力軸挿入部３０が筒部１０に対して進退可能に取り付けられるものである。
【００４２】
筒部１０は、挿入孔を有する中空筒形状であり、中空部分は図６に示すように、筒部１０の内径は出力軸挿入部３０の外径と略同じ中空部分と、可動軸２０が挿入可能な内径を有する中空部分とから構成されている。
【００４３】
筒部１０には、出力軸挿入部３０を筒部１０の軸方向に対して進退可能とするスライド機構が設けられている。スライド機構は、出力軸挿入部３０が筒部１０の軸方向に対して進退可能に可動できればよい趣旨である。
【００４４】
例えば、筒部１０の一端側（出力軸挿入部３０を挿入する側）寄りの周壁に、軸方向に延びる長孔４１を形成し、スライド操作部材４２であるノブ付きネジを筒部１０の長孔４１を介し出力軸挿入部３０に設けられたネジ孔４４に螺合することで固定する構成とする。この構成によれば、出力軸挿入部３０はノブ付きネジを緩めることによって、長孔４１に案内され、軸方向に移動可能となり、ノブ付きネジを緩めることで適宜の位置で止めることが可能となる。
【００４５】
また、スライド機構としては、出力軸挿入部３０の外周壁の長手方向に、平行に複数のキー溝を設け、出力軸挿入部３０自体をいわゆるスプライン軸とし、筒部１０の内周にそのキー溝に嵌り合う溝を設けることで、出力軸挿入部３０が筒部１０に対して軸方向に可動可能とすることもできる。
【００４６】
上述したアダプタＡによれば、出力軸挿入部３０がスライド機構により筒部１０に対して進退可能に構成されているため、芝刈り機Ｓと軸反転装置Ｊとを連結する際、まず、芝刈り機Ｓの連結部Ｓ１と可動軸２０とを連結し、次に、アダプタの出力軸挿入部３０と軸反転装置Ｊとをある程度近づけたところで、スライド機構により、出力軸挿入部３０をスライドさせ、出力軸Ｊ１に容易に固定することができる。
【００４７】
また、芝刈り機Ｓの連結部Ｓ１と軸反転装置Ｊの出力軸Ｊ１とをアダプタＡにより連結し、リールカッター軸Ｓ２を逆回転させて研磨作業を行っているときに、研磨状態を確認するために、リールカッター軸Ｓ２を正回転にする際、スライド機構を用いて、出力軸挿入部３０を出力軸Ｊ１から解除するだけで、迅速かつ容易にリールカッター軸Ｓ２を正回転して研磨状態を確認することができる。
【００４８】
更に、可動軸２０、筒部１０、出力軸挿入部３０等の形状、寸法、材料、スライド機構の構成を適宜変更して実施することが可能である。また、一部構成を省略することもできるし、一部を抽出した構成とできるのは勿論である。
【符号の説明】
【００４９】
Ａ    アダプタ
Ｓ    芝刈り機
Ｓ１  連結部
Ｓ２  リールカッター軸
Ｊ    軸反転装置
Ｊ１  出力軸
１０  筒部
２０  可動軸
３０  出力軸挿入部
４３  固定部
【図１】
0003179849.tif 000003
【図２】
0003179849.tif 000004
【図３】
0003179849.tif 000005
【図４】
0003179849.tif 000006
【図５】
0003179849.tif 000007
【図６】
0003179849.tif 000008